(57)【要約】【課題】視聴者が１２セグメント放送の番組情報に加えて１セグメント放送の番組情報を知ることができ、番組選択の自由度が高まめるデジタル放送受信装置を提供する。【解決手段】１２セグメント放送のＥＰＧ情報を取得する１２セグ用ＥＰＧ取得部と、１セグメント放送のＥＰＧ情報を取得する１セグ用ＥＰＧ取得部と、１２セグ用ＥＰＧ取得部と１セグ用ＥＰＧ取得部とから入力した１２セグメント放送のＥＰＧ情報と１セグメント放送のＥＰＧ情報とを比較し非サイマル放送かどうかを判断するＥＰＧ情報比較部と、ＥＰＧ情報比較部で非サイマル放送と判断したとき、１つの番組欄を分割して１セグの番組情報と１２セグの番組情報の両方の表示を行う番組表作成部とを備え、番組表内に非サイマル放送があるとき１セグの番組情報と１２セグの番組情報の両方を表示することにより、視聴者の番組選択の自由度を高めることができる。【選択図】図１
2011114518.tif 000002
【特許請求の範囲】
【請求項１】
１２セグメント放送を受信する１２セグ用チューナと、
前記１２セグ用チューナが受信したＴＳから１２セグメント放送のＥＰＧ情報を取得する１２セグ用ＥＰＧ取得部と、
１セグメント放送を受信する１セグ用チューナと、
前記１セグ用チューナが受信したＴＳから１セグメント放送のＥＰＧ情報を取得する１セグ用ＥＰＧ取得部と、
前記１２セグ用ＥＰＧ取得部と前記１セグ用ＥＰＧ取得部とから入力した１２セグメント放送のＥＰＧ情報と１セグメント放送のＥＰＧ情報とを比較し非サイマル放送かどうかを判断するＥＰＧ情報比較部と、
前記ＥＰＧ情報比較部で非サイマル放送と判断したとき、１つの番組欄を分割して１セグの番組情報と１２セグの番組情報の両方の表示を行う番組表作成部とを備えたことを特徴とするデジタル放送受信装置。
【発明の詳細な説明】
【技術分野】
【０００１】
本発明は、デジタル放送の番組情報を表示する機能を備えた、地上波デジタル放送受信装置に関するものである。
【背景技術】
【０００２】
日本の地上波デジタル放送はＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ）方式である。この方式の最大の特徴は、伝送帯域を１３のセグメントに分割し、セグメント単位で変調方式を変更可能なことで、最大３種類の多階層伝送が可能である。
【０００３】
現状は、１２セグメントを使った固定型受信装置向けの高精細な放送と、１セグメントを使った移動型受信装置向けの簡易な放送が行われている。
【０００４】
１２セグメント放送は広い帯域を使用して高精細な画像・音声を提供できる反面、ノイズによる誤りに弱く、弱階層の伝送と呼ばれる。一方、１セグメント放送は狭い帯域を使用しており伝送レートは低いが、ノイズによる誤りに強く、強階層の伝送と呼ばれる。
【０００５】
従来のデジタル放送受信装置としては、ユーザーがより良好な品質で映像を見られるように、１２セグメントの受信状態が悪く、１セグメントの受信状態がよく、かつ、それらがサイマル放送である場合のみ、自動で１セグメント放送に切り替えるという機能をもつものがあった（特許文献１参照）。
【０００６】
具体的には、図４に示すように、１２セグ用チューナ１からＴＳがＴＳデコーダ３の１２セグ用デコード部４に入力されデコードされると同時に、１セグ用チューナ２からＴＳがＴＳデコーダ３の１セグ用ＴＳデコード部５に入力されデコードされる。１２セグメント放送を通常チャンネル、１セグメント放送を代替チャンネルとして、各々デコードされる。そして、１２セグ用ＴＳデコード部４と１セグ用ＴＳデコード部５の出力から各々の受信状態をマイコン部９の受信状態監視部１７にて監視する。
【０００７】
また、ＴＳデコーダ３でのデコードと同時に１２セグメント放送・１セグメント放送各々のＥＰＧ情報を１２セグ用ＥＰＧ取得部６、１セグ用ＥＰＧ取得部７にて受信して、それらをマイコン部９のＥＰＧ情報比較部１１にて比較する。比較された結果通常チャンネルと代替チャンネルがサイマル放送であり、かつ、通常チャンネルの受信レベルが正常レベル以下、代替チャンネルの受信レベルが正常レベル以上である場合に、チャンネル切替部１６が通常チャンネルから代替チャンネルに自動でチャンネルを切り替えることで、ユーザーは常に番組の映像を見られることになる。
【０００８】
さらに、従来のデジタル放送受信装置として、番組表表示に関しては、１セグメント放送が１２セグメント放送に比べてＥＰＧ情報が少ないという欠点を補うために、１２セグメント放送より取得したＥＰＧ情報を１セグメント放送に用いるというものがある（特許文献２参照）。
【０００９】
具体的には、図５のように、１２セグ用チューナ１と１セグ用チューナ２から、各々ＴＳがＴＳデコーダ３に入力され、ＴＳデコーダ３の１２セグ用ＴＳデコード部４あるいは１セグ用ＴＳデコード部５により、ＴＳがＭＰＥＧあるいはＨ．２６４パケットとして出力される。それと同時に１２セグ用ＥＰＧ取得部６および１セグ用ＥＰＧ取得部７が各々のＥＰＧ情報を取得するが、それらを番組表作成部１２が取りまとめて表示部に出力することで、１２セグメントのＥＰＧ情報と１セグメントのＥＰＧ情報の双方を使用することが可能であり、ユーザーに対して的確な番組情報を表示部１５に伝達可能となる。
【先行技術文献】
【特許文献】
【００１０】
【特許文献１】特開２００７-０４９４１０号公報
【特許文献２】特開２００７-１１６６０３号公報
【発明の概要】
【発明が解決しようとする課題】
【００１１】
しかしながら、非サイマル放送が運用された場合のデジタル放送受信装置においては、ユーザーが選択的にその番組を視聴できることが大前提である。
【００１２】
特許文献１のような放送受信装置では、通常チャンネルと代替チャンネルがサイマル放送であるかどうかの判別を行う機能が存在し、サイマル放送の場合に１２セグメント放送から１セグメント放送に自動切換を行うことができるが、非サイマル放送の場合は切替の対象にはなっておらず、非サイマル放送をユーザーが知ることはできなかった。
【００１３】
また、特許文献２のような放送受信装置では、１セグメント放送用の番組表の欠点である情報量の少なさを補うために１２セグメント放送のＥＰＧ情報を使用することができるが、非サイマル放送時には全く異なる番組の番組表が表示されてしまい、ユーザーの混乱を招く恐れがあった。
【００１４】
本発明は、前記従来の課題を解決するもので、視聴者が１２セグメント放送の番組情報に加えて１セグメント放送の番組情報を知ることができ、番組選択の自由度が高まめるデジタル放送受信装置を提供することを目的とする。
【課題を解決するための手段】
【００１５】
前記従来の課題を解決するために、本発明のデジタル放送受信装置は、１２セグメント放送を受信する１２セグ用チューナと、１２セグ用チューナが受信したＴＳから１２セグメント放送のＥＰＧ情報を取得する１２セグ用ＥＰＧ取得部と、１セグメント放送を受信する１セグ用チューナと、１セグ用チューナが受信したＴＳから１セグメント放送のＥＰＧ情報を取得する１セグ用ＥＰＧ取得部と、１２セグ用ＥＰＧ取得部と１セグ用ＥＰＧ取得部とから入力した１２セグメント放送のＥＰＧ情報と１セグメント放送のＥＰＧ情報とを比較し非サイマル放送かどうかを判断するＥＰＧ情報比較部と、ＥＰＧ情報比較部で非サイマル放送と判断したとき、１つの番組欄を分割して１セグの番組情報と１２セグの番組情報の両方の表示を行う番組表作成部とを備える。
【００１６】
本構成によって、番組表内に非サイマル放送があるとき１セグの番組情報と１２セグの番組情報の両方を表示するので、視聴者は１２セグメント放送の番組情報に加えて１セグメント放送の番組情報も的確に知ることができ、番組選択の自由度が高まる。
【発明の効果】
【００１７】
本発明によれば、視聴者は１２セグメント放送の番組情報に加えて１セグメント放送の番組情報も的確に知ることができ、番組選択の自由度が高まる。さらに、非サイマル放送の場合のみの表示を分割することで、これまでの見易い番組表の構成を極力変えないため、視聴者は、普段はサイマル放送・非サイマル放送をあまり意識せずに従来どおりの番組選択を行うことができる。
【図面の簡単な説明】
【００１８】
【図１】本発明の実施例におけるデジタル放送受信装置を示すそのブロック図
【図２】本発明の実施例におけるデジタル放送受信装置における番組表表示処理を示すフローチャート
【図３】本発明の実施例におけるデジタル放送受信装置における番組表の表示の図
【図４】従来のデジタル放送受信装置を示すそのブロック図
【図５】従来のデジタル放送受信装置の他の例を示すそのブロック図
【発明を実施するための形態】
【００１９】
以下、本発明を実施するための形態について、図面を用いて説明する。
【実施例１】
【００２０】
図１は、本発明の実施の形態に係るデジタル放送受信装置を示すブロック図である。まず、デジタル放送受信装置の構成について説明する。
【００２１】
本発明のデジタル放送受信装置は、１２セグメント放送及び１セグメント放送を受信／選局する１２セグ用チューナ１及び１セグ用チューナ２と、各々のＴＳ（Ｔｒａｎｓｐｏｒｔ  Ｓｔｒｅａｍ）をデコードするＴＳデコーダ３と、インターネットとの窓口になるＬＡＮ接続部８と、ＥＰＧの処理を行うマイコン部９と、マイコン部のデータを記録するメモリ部１０と、ＭＰＥＧ２／Ｈ．２６４デコーダ１３と、画質処理部１４と、表示部１５とから構成される。
【００２２】
１２セグ用チューナ１は、１２セグメントのデジタル放送、すなわち地上デジタル放送において伝送帯域を分割して複数階層で構成された放送信号のうち相対的に弱階層の放送信号を受信する。また、１セグ用チューナ２は、１セグメントのデジタル放送、すなわち地上デジタル放送において伝送帯域を分割して複数階層で構成された放送信号のうち相対的に強階層の放送信号を受信する。１２セグ用チューナ１は、内部に１２セグメント放送に対する選局部およびＯＦＤＭ復調部を有し、受信したデジタル放送信号を放送局から創出されたＴＳパケットの形に復調することができる。１セグ用チューナ２は、内部に１セグメント放送に対する選局部およびＯＦＤＭ復調部を有し、受信したデジタル放送信号を放送局から創出されたＴＳパケットの形に復調することができる。
【００２３】
ＴＳデコーダ３においては、１２セグ用ＴＳデコード部４および１セグ用ＴＳデコード部５、更に１２セグ用ＥＰＧ取得部６と、１セグ用ＥＰＧ取得部７を有する。１２セグ用ＴＳデコード部４は、１２セグ用のＴＳをデコードしてＭＰＥＧ２やＨ．２６４のパケットを生成することができる。また、１セグ用ＴＳデコード部５は、１セグ用のＴＳをデコードしてＭＰＥＧ２やＨ．２６４のパケットを生成することができる。１２セグ用ＥＰＧ取得部６は、１２セグメント放送のＴＳから分離されたＥＰＧ情報を取得することができる。また、１セグ用ＥＰＧ取得部７は、１セグメント放送のＴＳから分離されたＥＰＧ情報を取得することができる。
【００２４】
マイコン部９にはＥＰＧ情報比較部１１と番組表作成部１２を有する。ＥＰＧ情報比較部１１は、１２セグ用ＥＰＧ取得部６及び１セグ用ＥＰＧ取得部７から入力された各々のＥＰＧ情報をもとに、それらが同じかどうかを判別する。また、番組表作成部１２は、入力された１２セグ用ＥＰＧ取得部６及び１セグ用ＥＰＧ取得部７から入力されたＥＰＧ情報と、ＥＰＧ情報比較部１１の比較結果をもとに、各時間帯、各チャンネルに区切られた番組表を作成することが可能である。
【００２５】
ＬＡＮ接続部８は、インターネットと接続することが可能であり、インターネット上に存在するＥＰＧ情報を取得することが可能である。
【００２６】
ＭＰＥＧ／Ｈ．２６４デコーダ１３は、入力されたＭＰＥＧ２およびＨ．２６４のパケットをデコードし、映像信号・音声信号を作成する。
【００２７】
画質処理部１４は、入力された映像信号に対して最適な画像処理を行い、表示される映像をより美しくすることができる。
【００２８】
表示部１５は、入力された映像信号や、番組表のデータをパネルに出力することが可能である。
【００２９】
本発明の構成上の特徴は、ＥＰＧ情報比較部１１と番組表作成部１２が共存している点であり、それにより次に説明する動作を可能としている。
【００３０】
以下に、デジタル放送受信装置の動作について説明する。
【００３１】
本発明の実施の形態のデジタル放送受信装置においては、まず１２セグメント放送が受信され１２セグ用チューナ１でＴＳに復調される。その後、そのＴＳがＴＳデコーダ３に存在する１２セグ用ＴＳデコード部４にてデコードされ、ＭＰＥＧあるいはＨ．２６４のパケットとなりＭＰＥＧ／Ｈ．２６４デコーダ１３に出力される。同時に、１２セグ用のＥＰＧ情報は１２セグ用チューナ１から出力されるＴＳから分離されて１２セグ用ＥＰＧ取得部６に入力され、１２セグ用ＥＰＧ取得部６で取得したＥＰＧ情報はそのままマイコン部９のＥＰＧ情報比較部１１および番組表作成部１２に入力される。
【００３２】
１セグメント放送も、１２セグメント放送と同様に、１セグメント用チューナ２でＴＳに復調される。その後、そのＴＳがＴＳデコーダ３に存在する１セグ用ＴＳデコード部５にてデコードされ、ＭＰＥＧあるいはＨ．２６４パケットとなりＭＰＥＧ／Ｈ．２６４デコーダ１３に出力される。同時に、１セグ用のＥＰＧ情報は１セグ用チューナ２から出力されるＴＳから分離されて１セグ用ＥＰＧ取得部７に入力され、１セグ用ＥＰＧ取得部７で取得したＥＰＧ情報はそのままマイコン部９のＥＰＧ情報比較部１１および番組表作成部１２に入力される。
【００３３】
また、ＬＡＮ接続も行われている場合は、ＬＡＮ接続部８がＬＡＮ経由でインターネット上に存在するＥＰＧ情報を取得して１２セグ用ＥＰＧ取得部６および１セグ用ＥＰＧ取得部７にＥＰＧ情報を出力する。各ＥＰＧ取得部は、ＴＳから分離され取得したＥＰＧ情報と合成を行い、ＥＰＧ情報比較部１１および番組表作成部１２に出力する。
【００３４】
ＥＰＧ情報比較部１１は各ＥＰＧ情報が入力された後、入力された１２セグ用ＥＰＧ情報と１セグ用ＥＰＧ情報を比較して、それらがサイマル放送であるか、非サイマル放送であるかを判別する。具体的には、各々のＥＰＧ情報は、少なくとも、「放送日時」、「放送チャンネル」、「放送時間帯」、「番組名」を持っているため、たとえば、ＥＰＧ情報比較部１１が「放送日時」、「放送チャンネル」、「放送時間帯」が同じものを比較し、「番組名」が同じであればサイマル放送、「番組名」が違っていれば非サイマル放送という判断とする。その判断をした結果は、番組表作成部１２に出力される。
【００３５】
番組表作成部１２は、１２セグ用ＥＰＧ取得部６及び１セグ用ＥＰＧ取得部７から入力されたＥＰＧ情報と、ＥＰＧ情報比較部１１から入力されたサイマル放送かどうかの判断結果をもとに、番組表を作成して表示部１５へ出力する。
【００３６】
ＭＰＥＧ２／Ｈ．２６４デコーダ１３は、ＴＳデコーダ３からのＭＰＥＧ２／Ｈ．２６４パケットの入力をもとに、映像信号・音声信号を出力する。特に、映像信号に関しては、画質処理部１４に対して出力する。また画質処理部１４は、入力された映像信号の処理を行った後、処理後の映像信号を表示部１５に出力し、表示部１５は画質処理部１４からの映像信号をパネルに表示するか、番組表作成部１２から出力された番組表データをパネルに出力する。
【００３７】
図２に、本発明における番組表の表示処理のフローチャートを示す。
【００３８】
リモコン（図示せず）やデジタル放送受信装置の本体に配置された番組表のボタンが押下されると（ステップＳ１）、１２セグ用ＥＰＧ取得部６が１２セグ用チューナ１から１２セグ用ＥＰＧデータを取得し（ステップＳ２）、１セグ用ＥＰＧ取得部７が１セグ用チューナ２から１セグ用ＥＰＧデータを取得する（ステップＳ３）。その後、ＬＡＮ接続部８においてＬＡＮが接続されているかどうかの判別を行う（ステップＳ４）。ステップＳ４においてＬＡＮが接続されていれば、１２セグ用ＥＰＧ取得部６及び１セグ用ＥＰＧ取得部７がＬＡＮ経由での１２セグ用及び１セグ用ＥＰＧデータの取得を行う（ステップＳ５）。ステップＳ４においてＬＡＮが接続されていなければ、ステップＳ５をスキップする。
【００３９】
ＥＰＧデータの取得が終わった後、ＥＰＧ情報比較部１１が１２セグのＥＰＧデータと１セグのＥＰＧデータとの比較を行う（ステップＳ６）。このとき、あくまでも表示部１５内の表示領域内の番組表に非サイマル放送があるか判断を行う（ステップＳ７）。ステップＳ７において非サイマル放送があれば、番組表作成部１２が図３のような表示形式にて１つの番組欄を分割して１セグの番組情報と１２セグの番組情報の両方の表示を行う（ステップＳ８）。ステップＳ７において非サイマル放送がなければ、通常通りの１２セグの番組表の表示を行う（ステップＳ９）。
【００４０】
かかる構成によれば、ＥＰＧ情報比較部１１と番組表作成部１２を有することにより、番組表内に非サイマル放送があるとき１セグの番組情報と１２セグの番組情報の両方を表示するので、視聴者は１２セグメント放送の番組情報に加えて１セグメント放送の番組情報も的確に知ることができ、番組選択の自由度が高まる。
【産業上の利用可能性】
【００４１】
以上説明したように、本発明にかかるデジタル放送受信装置は、１２セグメント放送から得られるＥＰＧ情報と、１セグメント放送から得られるＥＰＧ情報を比較し、その比較結果次第で番組表表示を変更することで、視聴者に対して常に正確な番組情報を提供することができるという効果を奏するものであり、固定受信装置に限らず、移動用受信装置、携帯受信装置などで１２セグメント放送および１セグメント放送の両方を受信できるデジタル放送受信装置全般に有用である。
【符号の説明】
【００４２】
１    １２セグ用チューナ
２    １セグ用チューナ
３    ＴＳデコーダ
４    １２セグ用ＴＳデコード部
５    １セグ用ＴＳデコード部
６    １２セグ用ＥＰＧ取得部
７    １セグ用ＥＰＧ取得部
８    ＬＡＮ接続部
９    マイコン部
１０    メモリ部
１１    ＥＰＧ情報比較部
１２    番組表作成部
１３    ＭＰＥＧ２／Ｈ．２６４デコーダ
１４    画質処理部
１５    表示部
１６    チャンネル自動切換え部
１７    受信状態監視装置
【図１】
2011114518.tif 000003
【図２】
2011114518.tif 000004
【図３】
2011114518.tif 000005
【図４】
2011114518.tif 000006
【図５】
2011114518.tif 000007